(57)【要約】【課題】  １番コンベヤ２０及び２番コンベヤ３０の清掃口２４，３４を、構造簡単な開閉構造によって一挙に開閉することができるようにする。【解決手段】  １番コンベヤ２０の清掃口２４を開閉する１番用蓋部５１、２番コンベヤ３０の清掃口３４を開閉する２番用蓋部５２、１番用蓋部５１と２番用蓋部５２を連結する連結部５３を備えて成る一つの蓋体５０を設けてある。脱穀機体の支持部６１が蓋体５０の１番用蓋部５１と２番用蓋部５２の間に対して脱穀機体下方側が受け止め作用して蓋体５０を弾性変形させ、これによって１番用蓋部５１が１番コンベヤ２０の底部に対して、２番用蓋部５２が２番コンベヤ３０の底部に対してそれぞれ当接されるように構成してある。【選択図】        図３
2005270022.tif 000002
【特許請求の範囲】
【請求項１】
選別部で選別処理された1番処理物を搬送する1番コンベヤ、２番処理物を搬送する２番コンベヤそれぞれの底部に清掃口を設けてある脱穀機であって、
前記１番コンベヤの前記清掃口のための１番用蓋部、前記２番コンベヤの前記清掃口のための２番用蓋部、前記１番用蓋部と前記２番用蓋部を連結する連結部を備えた一つの蓋体を、支持部に摺動開閉自在に支持させ、
前記支持部は、前記蓋体の前記１番用蓋部と前記２番用蓋部との間に対して脱穀機体下方側から受け止め作用して蓋体を弾性変形させることにより、前記１番用蓋部を前記１番コンベヤの底部に対して、前記２番用蓋部を前記２番コンベヤの底部に対してそれぞれ当接させるように構成してある脱穀機。
【請求項２】
前記１番コンベヤの前記１番用蓋部が当接する下面、及び、前記２番コンベヤの前記２番用蓋部が当接する下面を平坦面に形成してある請求項１記載の脱穀機。
【請求項３】
前記蓋体の前記１番用蓋部に対して脱穀機体下方側から受け止め作用する1番用支持部、及び、前記蓋体の前記２番用蓋部に対して脱穀機体下方側から受け止め作用する２番用支持部を設けてある請求項１又は２記載の脱穀機。
【請求項４】
前記蓋体の前記１番用蓋部、前記２番用蓋部、前記連結部を1枚の鋼板によって作製してある請求項１〜３のいずれか１項に記載の脱穀機。
【発明の詳細な説明】
【技術分野】
【０００１】
本発明は、選別部で選別処理された1番処理物を搬送する1番コンベヤ、２番処理物を搬送する２番コンベヤそれぞれの底部に清掃口を設けてある脱穀機に関する。
【背景技術】
【０００２】
上記脱穀機において、従来、たとえば特許文献１に示されるように、一番スクリューコンベア１１ｂの清掃口蓋１６を、樋部２５ｂに横軸芯Ｘ１まわりで揺動開閉自在に設け、二番スクリューコンベア１２ｂの清掃口蓋１６を、樋部２５ｃに横軸芯Ｘ２まわりで揺動開閉自在に設け、脱穀装置側板に架設された操作軸１７、この操作軸１７に一体回動自在に固設された揺動プレート１９、この揺動プレート１９の一端側と一番スクリューコンベア１１ｂの清掃口蓋１６を連動させるコイルばね２１、前記揺動プレート１９の他端側と二番スクリューコンベア１２ｂの清掃口蓋１６を連動させるコイルばね２１を設け、操作軸１７の一端側に連結する操作レバー２０を操作軸１７の軸芯Ｙまわりで揺動操作することにより、操作軸１７が操作レバー２０と共に回動して揺動プレート１９を揺動操作して揺動プレート１９が一方のコイルばね２１を介して一番スクリューコンベア１１ｂの清掃口蓋１６を、他方のコイルばね２１を介して二番スクリューコンベア１２ｂの清掃口蓋１６をそれぞれ開閉操作し、一番スクリューコンベア１１ｂ及び二番スクリューコンベア１２ｂの清掃口１５が開閉するものがあった。
【０００３】
【特許文献１】特開２００２−２５３０４０号公報（〔００１１〕−〔００１４〕欄、図２−５）
【発明の開示】
【発明が解決しようとする課題】
【０００４】
従来の技術を採用して両コンベヤの清掃口の開閉を可能にすると、両コンベヤの蓋体を連動させるための部材が数多く必要になるなど、構造面やコスト面で不利になっていた。
【０００５】
本発明の目的は、両コンベヤの清掃口を一挙に開閉することができながら構造面や経済面で有利に得ることができる脱穀機を提供することにある。
【課題を解決するための手段】
【０００６】
本第１発明にあっては、選別部で選別処理された1番処理物を搬送する1番コンベヤ、２番処理物を搬送する２番コンベヤそれぞれの底部に清掃口を設けてある脱穀機において、
前記１番コンベヤの前記清掃口のための１番用蓋部、前記２番コンベヤの前記清掃口のための２番用蓋部、前記１番用蓋部と前記２番用蓋部を連結する連結部を備えた一つの蓋体を、支持部に摺動開閉自在に支持させ、
前記支持部は、前記蓋体の前記１番用蓋部と前記２番用蓋部との間に対して脱穀機体下方側から受け止め作用して蓋体を弾性変形させることにより、前記１番用蓋部を前記１番コンベヤの底部に対して、前記２番用蓋部を前記２番コンベヤの底部に対してそれぞれ当接させるように構成してある。
【０００７】
すなわち、蓋体を摺動操作すると、１番用蓋部と２番用蓋部が共に開き側や閉じ側に摺動して１番用蓋部が１番コンベヤの清掃口を開閉し、２番用蓋部が２番コンベヤの清掃口を開閉する。また、支持部が蓋体を弾性変形させ、この弾性変形によって１番用蓋部が１番コンベヤの底部に当接して清掃口を閉じ、２番用蓋部が２番コンベヤの底部に当接して清掃口を閉じるものである。これにより、両コンベヤの清掃口を別々の蓋体によって開閉するものにあっては、両コンベヤの蓋体を互いに連動させるとともに操作手段に連動させる連動手段が必要になるが、この連動手段を不要にしながら両コンベヤの清掃口を一挙に開閉することができるとともに各コンベヤの清掃口を確実に閉じることができる。
【０００８】
従って、本第１発明によれば、両コンベヤの清掃口を一挙に開いて清掃しやすいものでありながら、上記連動手段などを削減して構造簡単かつ安価に得ることができる。
【０００９】
本第２発明にあっては、本第１発明の構成において、前記１番コンベヤの前記１番用蓋部が当接する下面、及び、前記２番コンベヤの前記２番用蓋部が当接する下面を平坦面に形成してある。
【００１０】
すなわち、両コンベヤの清掃口に一つの蓋体をこれの弾性復元力によって当接させるに当たり、各コンベヤの蓋体当接面が曲面になっていると、蓋体の変形や製作具合によって当接不良が発生しやすくなる。これに対し、本第２発明では、両コンベヤの平坦面に蓋体が当接するものであるから、両コンベヤの底部に蓋体を当接不良が発生しにくい状態で当接させてその清掃口を閉じることができる。
【００１１】
従って、本第２発明によれば、両コンベヤに対して一つの蓋体を弾性変形させながら当接させるものでありながら、当接不良が発生しにくい状態で当接させて清掃口を穀粒漏れが発生しないように精度よく閉じることができる。
【００１２】
本第３発明にあっては、本第１又は第２発明の構成において、前記蓋体の前記１番用蓋部に対して脱穀機体下方側から受け止め作用する1番用支持部、及び、前記蓋体の前記２番用蓋部に対して脱穀機体下方側から受け止め作用する２番用支持部を設けてある。
【００１３】
すなわち、１番コンベヤにおいては、蓋体の１番用蓋部と２番用蓋部の間での蓋体取り付け部による受け止め支持と、１番用蓋部での１番用支持部による受け止め支持の両支持によって１番用蓋部が当接されて清掃口が閉じられ、２番コンベヤにおいては、蓋体の１番用蓋部と２番用蓋部の間での蓋体取り付け部による受け止め支持と、２番用蓋部での２番用支持部による受け止め支持の両支持によって２番用蓋部が当接されて清掃口が閉じられる。これにより、１番用蓋部も２番用蓋部も、コンベヤからの当接反力によって一部がコンベヤ底部から離れるという当接不良が発生しにくい状態で当接して清掃口を閉じる状態になる。
【００１４】
従って、本第３発明によれば、両コンベヤに対して一つの蓋体を弾性変形させながら当接させるものでありながら、１番コンベヤにおいても２番コンベヤにおいても、蓋部を蓋体取り付け部と支持部による両持ち支持によって当接不良が発生しにくい状態で当接させて清掃口を穀粒漏れが発生しないように精度よく閉じることができる。
【００１５】
本第４発明にあっては、本第１〜第３発明のいずれか一つの構成において、前記蓋体の前記１番用蓋部、前記２番用蓋部、前記連結部を1枚の鋼板によって作製してある。
【００１６】
すなわち、蓋体を1枚の鋼板によって、１番用蓋部、２番用蓋部、連結部が適切な形状や配置で備えられるとともに適切に弾性変形する状態にして構成するものである。
【００１７】
従って、本第４発明によれば、蓋体を１枚の鋼板によって構造簡単に構成し、蓋体の面からも構造簡単かつ安価に得ることができる。
【発明を実施するための最良の形態】
【００１８】
以下、本発明の実施例を図面に基づいて説明する。
図１に示すように、脱穀フィードチェーン１、扱室２などを備えた脱穀部Ａ、前記扱室２の下方に前端側が位置する駆動揺動自在な揺動選別装置１１、扱室２の後方に位置する排塵ファン１２などを備えた選別部Ｂ、前記揺動選別装置１１の下方に脱穀機体の前後方向に並んで位置する１番コンベヤ２０、２番コンベヤ３０、２番コンベヤ３０の搬送終端部に搬送始端部が接続された揚送装置４０を備えさせてコンバイン用の脱穀機を構成してある。
【００１９】
この脱穀機は、コンバインの前処理部によって刈取り処理された稲、麦などの刈取穀稈を脱穀処理し、脱穀処理物を選別処理するものであり、脱穀部Ａは、脱穀フィードチェーン１によって前処理部からの刈取穀稈の株元側を挟持して脱穀機体後方向きに搬送しながらその刈取穀稈の穂先側を扱室２に供給して脱穀機体前後向きの軸芯まわりで回動する扱胴３によって脱穀処理し、脱穀排ワラを脱穀フィードチェーン１によって扱室２の送塵口４から搬出する。
【００２０】
選別部Ｂは、扱室２の受網５から落下した脱穀処理物を揺動選別装置１１によって受け止めて脱穀機体後方向きに搬送しながら、この揺動選別装置１１と、揺動選別装置１１の前端側の下方に位置する唐箕１３によって脱穀機体後方向きに供給される選別風とによって穀粒と塵埃とに選別処理し、穀粒を揺動選別装置１１から落下させ、塵埃を選別風と共に排塵ファン１２の吐出口１２ａや脱穀機体の排塵口１４から脱穀機体の後方側に排出する。
【００２１】
図３などに示すように、１番コンベヤ２０は、脱穀機体の底板１５の一部で成る樋形の搬送ガイド板２１、この搬送ガイド板２１の上方近くで脱穀機体横向きの軸芯まわりで回動するように駆動されるスクリューコンベヤ２２を備えて成り、選別部Ｂから落下した１番処理物をスクリューコンベヤ２２によって搬送ガイド板２１に沿わせて脱穀機体の横外側に搬出する。
【００２２】
図３などに示すように、２番コンベヤ３０は、脱穀機体の底板１５の一部で成る樋形の搬送ガイド板３１、この搬送ガイド板３１の上方近くで脱穀機体横向きの軸芯まわりで回動するように駆動されるスクリューコンベヤ３２を備えて成り、選別部Ｂから落下した２番処理物をスクリューコンベヤ３２によって搬送ガイド板３１に沿わせて脱穀機体の横外側に搬出する。
【００２３】
揚送装置４０は、スクリューコンベヤで成り、２番コンベヤ３０からの処理物を脱穀機体の横外側で選別部Ｂの上部付近の高さまで揚送して脱穀機体横側壁の投入口４１から脱穀機体の内部に吐出することにより、前記揺動選別装置１１の前端部に還元する。
【００２４】
図２，３に示すように、前記１番コンベヤ２０及び前記２番コンベヤ３０の搬送ガイド板２１，３１の底部に、平坦面に形成した下面２３，３３、この下面２３，３３にスクリューコンベヤ２２，３２による搬送方向に並ぶ複数の清掃口２４，３４を設けてある。
【００２５】
前記各清掃口２４，３４のための一つの蓋体５０を、図２に示す如く、一端側に１番用蓋部５１を備え、他端側に２番用蓋部５２を備え、１番用蓋部５１と２番用蓋部５２の間に１番用蓋部５１と２番用蓋部５２を連結する側面視山形の連結部５３を備えるように成形した一枚の折り曲げ鋼板によって作製してある。１番用蓋部５１に、複数個の貫通孔５１ｂが並んでいる蓋本体５１ａを備え、１番用蓋部５２に、複数個の貫通孔５２ｂが並んでいる蓋本体５２ａを備えてある。
【００２６】
図３，４に示すように、前記蓋体５０は、脱穀機体の左右の横側壁６０に設けた貫通孔で成る支持部６１を挿通するとともに蓋体５０の連結部５３に連結ボルト５５によって連結した丸棒材でなる取り付け杆５６を介して前記左右の支持部６１に摺動開閉自在に支持させてあるとともに、前記取り付け杆５６の前記一方の横側壁６０から脱穀機体外側に突出している端部に、取り付け杆５６を構成する丸棒材の折り曲げ端部で構成した開閉レバー５４を備えてあり、この開閉レバー５４によって蓋体５０を開閉操作して1番コンベヤ２０及び２番コンベヤ３０の清掃口２４，３４を開閉するように構成してある。
【００２７】
すなわち、図３（ロ）、図４（ロ）に示すように、開閉レバー５４を脱穀機体横外側に引き操作し、取り付け杆５６が各支持部６１に対して摺動して蓋体５０が１番コンベヤ２０及び２番コンベヤ３０の搬送ガイド板２１，３１に対して摺動し、蓋体５０の脱穀機体横方向での一端５０ａが一方の横側壁６０の内面側に当接すると蓋体５０が開き位置になる。すると、１番用蓋部５１は、これの蓋本体５１ａの複数個の貫通孔５１ｂが１番コンベヤ２０の複数個の清掃口２４に各別に符合した開き状態になり、１番コンベヤ２０の各清掃口２４が開き状態になる。これとともに、２番用蓋部５２は、これの蓋本体５２ａの複数個の貫通孔５２ｂが２番コンベヤ３０の複数個の清掃口３４に各別に符合した開き状態になり、２番コンベヤ３０の各清掃口３４が開き状態になる。
【００２８】
図３（イ）、図４（イ）に示すように、開閉レバー５４を脱穀機体内方側に押し操作し、取り付け杆５６が各支持部６１に対して摺動して蓋体５０が１番コンベヤ２０及び２番コンベヤ３０の搬送ガイド板２１，３１に対して摺動し、蓋体５０の脱穀機体横方向での他端５０ｂが他方の横側壁６０の内面側に当接すると蓋体５０が閉じ位置になる。すると、１番用蓋部５１は、これの蓋本体５１ａの複数箇所の貫通孔間が１番コンベヤ２０の複数個の清掃口２４に各別に符合した閉じ状態になり、１番コンベヤ２０の各清掃口２４が閉じ状態になる。これとともに、２番用蓋部５２は、これの蓋本体５２ａの複数箇所の貫通孔間が２番コンベヤ３０の複数個の清掃口３４に各別に符合した閉じ状態になり、２番コンベヤ３０の各清掃口３４が閉じ状態になる。このとき、両横側壁６０の支持部６１と、１番コンベヤ２０の搬送ガイド板２１の下面２３や２番コンベヤ３０の搬送ガイド板３１の下面３３との脱穀機体上下方向での位置関係の設定により、各支持部６１が取り付け杆５６を押し上げ支持することによって蓋体５０の１番用蓋部５１と２番用蓋部５２の間に対して脱穀機体下方側から受け止め作用して押し上げ操作して蓋体５０を弾性変形させ、この弾性変形のために１番用蓋部５１の蓋本体５１ａが１番コンベヤ２０の搬送ガイド２１の下面２３に当接されて１番コンベヤ２０の清掃口２４を穀粒漏れのないように閉じる状態になり、２番用蓋部５２の蓋本体５２ａが２番コンベヤ３０の搬送ガイド３１の下面３３に当接されて２番コンベヤ３０の清掃口３４を穀粒漏れのないように閉じる状態になる。
【００２９】
図５は、別の実施形態を備えた蓋体支持構造を示し、この蓋体支持構造にあっては、蓋体５０の1番用蓋部５１と２番用蓋部５２との間で連結部５３の下面側に対して脱穀機体下方側から受け止め作用して蓋体５０の主として連結部５３を弾性変形させる支持部６１を脱穀機体に設ける他に、１番コンベヤ２０の下方に配置して脱穀機体の左右の側壁板６０に架設された支持杆で成る１番用支持部６２、２番コンベヤ３０の下方に配置して脱穀機体の左右の側壁板６０に架設された支持杆で成る２番用支持部６３を脱穀機体に設けてある。
【００３０】
蓋体５０が閉じ状態になり、各支持部６１が蓋体５０の主として連結部５３を弾性変形させ、１番用蓋部５１が１番コンベヤ２０の搬送ガイド２１の底部に、２番用蓋部５２が２番コンベヤ３０の底部にそれぞれ当接付勢された状態において、１番用支持部６２が１番用蓋部５１に対して脱穀機体下方側から受け止め作用し、１番用蓋部５１が支持部６１と１番用支持部２５の両持ち支持によって受け止め支持されて清掃口２４を閉じるようになり、２番用蓋部５２が支持部６１と２番用支持部６３の両持ち支持によって受け止め支持されて清掃口３４を閉じるようになっている。
【図面の簡単な説明】
【００３１】
【図１】脱穀機全体の側面図
【図２】１番コンベヤ及び２番コンベヤの搬送ガイド板、蓋体の斜視図
【図３】（イ）は、１番コンベヤ及び２番コンベヤの清掃口閉じ状態での横断面図、（ロ）は、１番コンベヤ及び２番コンベヤの清掃口開き状態での横断面図
【図４】（イ）は、１番コンベヤ及び２番コンベヤの清掃口閉じ状態での縦断面図、（ロ）は、１番コンベヤ及び２番コンベヤの清掃口開き状態での縦断面図
【図５】別の実施形態を備えた蓋体支持構造の断面図
【符号の説明】
【００３２】
２０        １番コンベヤ
２３        １番コンベヤの下面
２４        １番コンベヤの清掃口
３０        ２番コンベヤ
３３        ２番コンベヤの下面
３４        ２番コンベヤの清掃口
５０        蓋体
５１        １番用蓋部
５２        ２番用蓋部
５３        連結部
６１        支持部
６２        １番用支持部
６３        ２番用支持部
Ｂ          選別部
【図１】
2005270022.tif 000003
【図２】
2005270022.tif 000004
【図３】
2005270022.tif 000005
【図４】
2005270022.tif 000006
【図５】
2005270022.tif 000007